(57)【要約】【課題】  移動体端末機の位置情報およびその移動体端末機とともに移動した所有者の属性情報を収集できるようにし、情報収集の費用対効果の向上を図る。【解決手段】  まず、位置情報管理センタ６では、収集条件入力部６４において位置・属性情報の収集条件が入力され（Ｓ３０１）、その入力された収集条件を示す収集条件電文が移動体端末機３に送信される（Ｓ３０２）。そして、移動体端末機３では、収集条件電文が受信された（Ｓ３０３）後、その収集条件に基づいて位置・属性情報が取得され（Ｓ３０４）、位置情報管理センタ６に送信される（Ｓ３０５）。位置情報管理センタ６では、移動体端末機３からの位置・属性情報が収集され（Ｓ３０６）、その収集された情報が情報収集委託者７に提供される（Ｓ３０７）。情報収集委託者７では、位置・属性情報が位置・属性情報表示端末７１に受信され（Ｓ３０８）、そのディスプレイに表示される（Ｓ３０９）。【選択図】      図３
2006260331.tif 000002
【特許請求の範囲】
【請求項１】
少なくとも、
自らの位置情報および情報提供者の属性情報を送信する移動端末と、
前記移動端末から前記位置情報および前記属性情報を受信し、その受信した位置情報および属性情報を、所定の端末に提供する情報管理サーバと、
が無線ネットワークを介して接続されて構成される情報収集システムにおける情報収集方法であって、
前記移動端末が、予め入力した、または前記情報管理サーバから受信した、前記位置情報および前記属性情報の収集条件を第１の記憶手段に格納するステップと、
前記移動端末が、前記第１の記憶手段に格納した収集条件に従って前記位置情報および前記属性情報を取得し、その取得した位置情報および属性情報を前記情報管理サーバに送信するステップと、
前記情報管理サーバが、前記移動端末から前記位置情報および前記属性情報を受信し、その受信した位置情報および属性情報を第２の記憶手段に格納するステップと、
前記情報管理サーバが、前記第２の記憶手段に格納した位置情報および属性情報のうち、前記所定の端末から要求された情報を前記所定の端末に送信するステップと、
を含むことを特徴とする情報収集方法。
【請求項２】
前記情報管理サーバは、情報収集を行いたい所望の場所および時間を含む収集条件を入力し、その入力した収集条件を前記移動端末に送信し、
前記移動端末は、前記情報管理サーバから前記場所および時間を含む収集条件を受信し、その受信した収集条件を前記第１の記憶手段に格納する
ことを特徴とする請求項１に記載の情報収集方法。
【請求項３】
前記情報管理サーバは、収集したい所望の属性情報の種別を含む収集条件を入力し、その入力した収集条件を前記移動端末に送信し、
前記移動端末は、前記情報管理サーバから前記属性情報の種別を含む収集条件を受信し、その受信した収集条件を前記第１の記憶手段に格納する
ことを特徴とする請求項１または請求項２に記載の情報収集方法。
【請求項４】
移動端末の位置情報および情報提供者の属性情報を受信し、その受信した位置情報および属性情報を、所定の端末に提供する情報管理サーバにおける情報収集方法であって、
情報の収集条件に従って取得された前記位置情報および前記属性情報を受信し、その受信した位置情報および属性情報を所定の記憶手段に格納するステップと、
前記格納した位置情報および属性情報のうち、前記所定の端末から要求された情報を前記所定の端末に送信するステップと、
を含むことを特徴とする情報収集方法。
【請求項５】
少なくとも、
自らの位置情報および情報提供者の属性情報を送信する移動端末と、
前記移動端末から前記位置情報および前記属性情報を受信し、その受信した位置情報および属性情報を、所定の端末に提供する情報管理サーバと、
が無線ネットワークを介して接続されて構成される情報収集システムであって、
前記移動端末は、予め入力した、または前記情報管理サーバから受信した、前記位置情報および前記属性情報の収集条件を第１の記憶手段に格納した後、その格納した収集条件に従って前記位置情報および前記属性情報を取得し、その取得した位置情報および属性情報を前記情報管理サーバに送信し、
前記情報管理サーバは、前記移動端末から前記位置情報および前記属性情報を受信し、その受信した位置情報および属性情報を第２の記憶手段に格納した後、その格納した位置情報および属性情報のうち、前記所定の端末から要求された情報を前記所定の端末に送信する
ことを特徴とする情報収集システム。
【請求項６】
前記情報管理サーバは、情報収集を行いたい所望の場所および時間を含む収集条件を入力し、その入力した収集条件を前記移動端末に送信し、
前記移動端末は、前記情報管理サーバから前記場所および時間を含む収集条件を受信し、その受信した収集条件を前記第１の記憶手段に格納する
ことを特徴とする請求項５に記載の情報収集システム。
【請求項７】
前記情報管理サーバは、収集したい所望の属性情報の種別を含む収集条件を入力し、その入力した収集条件を前記移動端末に送信し、
前記移動端末は、前記情報管理サーバから前記属性情報の種別を含む収集条件を受信し、その受信した収集条件を前記第１の記憶手段に格納する
ことを特徴とする請求項５または請求項６に記載の情報収集システム。
【請求項８】
移動端末の位置情報および情報提供者の属性情報を受信し、その受信した位置情報および属性情報を、所定の端末に提供する情報管理サーバであって、
前記情報管理サーバは、情報の収集条件に従って取得された前記位置情報および前記属性情報を受信し、その受信した位置情報および属性情報を所定の記憶手段に格納した後、その格納した位置情報および属性情報のうち、前記所定の端末から要求された情報を前記所定の端末に送信する
ことを特徴とする情報管理サーバ。
【請求項９】
前記情報管理サーバは、情報収集を行いたい所望の場所および時間を含む収集条件を入力し、その入力した収集条件を前記移動端末に送信した後、前記移動端末が前記収集条件に従って取得した位置情報および属性情報を受信する
ことを特徴とする請求項８に記載の情報管理サーバ。
【請求項１０】
前記情報管理サーバは、収集したい所望の属性情報の種別を含む収集条件を入力し、その入力した収集条件を前記移動端末に送信した後、前記移動端末が前記収集条件に従って取得した位置情報および属性情報を受信する
ことを特徴とする請求項８または請求項９に記載の情報管理サーバ。
【請求項１１】
サーバおよび移動端末に、請求項１ないし請求項３のいずれか一項に記載の情報収集方法を実行させることを特徴とする情報収集プログラム。
【請求項１２】
コンピュータに、請求項４に記載の情報収集方法を実行させることを特徴とする情報収集プログラム。
【発明の詳細な説明】
【技術分野】
【０００１】
本発明は、移動体端末機の位置情報およびその移動体端末機とともに移動した所有者（情報提供者）の属性情報を収集するサービスにおいて、情報を収集したい端末の指定および収集したい属性情報の種別を指定して取得・管理する情報収集方法、情報収集システム、情報管理サーバおよび情報収集プログラムに関する。
【背景技術】
【０００２】
近年、携帯電話などの移動体端末機にＧＰＳ（Global Positioning System）測位機能や基地局測位機能が搭載され、移動体端末機とともに移動した所有者の位置情報（緯度・経度情報）の取得が可能となってきている。
【０００３】
また、小売業界などにおける店舗の出店計画や商品陳列などにおいて、将来、顧客となりそうな消費者の動線情報（位置情報および時間情報の履歴など）や消費者の嗜好（属性情報）を詳細に把握することが重要となっている。
【０００４】
例えば、コンビニエンスストアを新たに出店しようとする場合、売上げ予測や自社グループ店・競合店への影響度などを算定するために、出店を予定している対象エリアにリサーチ要員を配して、人の流れや買い物の様子などを観察し、商圏分析を行っている。このような消費者の位置情報や属性情報の収集は、サービス提供側（小売業など）から委託されたマーケティングリサーチ会社などが定点観測やアンケートを実施することで実現されている。
【０００５】
また、定点観測では、通行人の詳細な属性情報（例えば、年収や家族構成など）まで把握することは困難である。そこで、専門のマーケティングリサーチ会社や広告代理店に調査依頼することが考えられるが、これには多大な費用が必要となる。
【０００６】
このような商圏分析などのマーケティングにおいては、商品の実際の正確な売れ行き調査などの情報収集のため、多くの家庭に普及している携帯電話などの携帯通信装置を用いて、偏りのない多くの商品購買情報を迅速かつ継続的に取得し、その商品購買情報を必要とする事業者に提供することが可能な商品購入情報の収集／提供システムが提案されている。例えば、特許文献１には、商品に付されたバーコードを携帯通信装置で読み取り、その携帯通信装置と接続された通信ネットワークを介して、読み取ったバーコードの購買情報をデータ処理装置で収集する例が記載されている。これによって、最終消費者による購入に係る購買情報を迅速かつ継続的に取得し、その購買情報を必要とする事業者に提供することを実現している。
【特許文献１】特開２００３−２５６６３７号公報（段落００４９〜００５７、図１）
【発明の開示】
【発明が解決しようとする課題】
【０００７】
しかしながら、特許文献１の技術には次のような問題がある。
【０００８】
まず、特許文献１には、位置情報の提供について言及されていない。特許文献１の実施形態における構成図には位置取得手段が記載されておらず、また収集したデータに位置情報が含まれているという記載がない。より正確なマーケティング分析のためには、情報提供者が長時間にわたり情報を提供していることを意識しないように、位置情報および属性情報の収集を行うことが必要となる。
【０００９】
次に、情報収集を委託する側から見ると、欲しい位置情報および属性情報の収集条件（収集日・時間帯や収集場所、収集したい属性情報の種別など）は委託業者によって異なるので、その収集条件が任意に選択できることが望ましい。このような情報の収集条件の選択についても、特許文献１には言及されていない。
【００１０】
そこで、本発明は、前記問題に鑑み、移動体端末機の位置情報およびその移動体端末機とともに移動した所有者の属性情報を収集できるようにし、情報収集の費用対効果の向上を図る手段を提供することを課題とする。
【課題を解決するための手段】
【００１１】
前記課題を解決する本発明は、少なくとも、自らの位置情報および情報提供者の属性情報を送信する移動端末と、移動端末から位置情報および属性情報を受信し、その受信した位置情報および属性情報を、所定の端末に提供する情報管理サーバとが無線ネットワークを介して接続されて構成される情報収集システムにおける情報収集方法であって、移動端末が、予め入力した、または情報管理サーバから受信した、位置情報および属性情報の収集条件を第１の記憶手段に格納するステップと、移動端末が、第１の記憶手段に格納した収集条件に従って位置情報および属性情報を取得し、その取得した位置情報および属性情報を情報管理サーバに送信するステップと、情報管理サーバが、移動端末から位置情報および属性情報を受信し、その受信した位置情報および属性情報を第２の記憶手段に格納するステップと、情報管理サーバが、第２の記憶手段に格納した位置情報および属性情報のうち、所定の端末から要求された情報を所定の端末に送信するステップとを含むことを主な特徴とする。なお、本発明は、情報管理サーバにおける情報収集方法、情報収集システム、情報管理サーバおよび情報収集プログラムを含む。
【発明の効果】
【００１２】
本発明によれば、移動体端末機（移動端末）の位置情報およびその移動体端末機とともに移動した所有者の属性情報を収集することができ、情報収集の費用対効果の向上を図ることができる。
【発明を実施するための最良の形態】
【００１３】
以下、本発明を実施するための最良の形態について図面を参照して詳細に説明する。なお、本実施の形態で説明する内容は、移動体端末機からの位置情報および属性情報の収集方法および収集システムについての説明であるとともに、位置情報管理センタおよび移動体端末機の説明を含むものである。
【００１４】
本発明の実施の形態に係る情報収集システムは、位置情報管理センタが、無線網を通じて移動体端末機に対して位置情報および属性情報（以下、位置・属性情報という）の収集条件を設定し、その移動体端末機から提供された情報を収集し、情報収集委託者の端末に提供するものである。
【００１５】
また、情報収集委託者として、コンビニエンスストアのような店舗出店計画中の小売業者やマンション建設計画中の不動産業者などが考えられるが、特にエリアマーケティングに限定されない情報収集方法として説明する。
【００１６】
≪システムの構成と概要≫
最初に、本発明の実施の形態に係る情報収集システムの基本的な構成と概要について説明する。
【００１７】
図１は、その基本構成を示す図である。情報収集システム１０は、情報提供者側の移動体端末機３（移動端末）、位置情報管理センタ６（情報管理サーバ）および情報収集委託者７を含んで構成される。移動体端末機３と位置情報管理センタ６とは、無線網１（無線ネットワーク）を介して接続されている。ここで、無線網１としては、携帯電話網、衛星回線網、無線ＬＡＮ（Local Area Network）などが考えられる。また、位置情報管理センタ６と情報収集委託者７とは、有線網２を介して接続されている。ここで、有線網２としては、公衆回線網、専用線などが考えられる。
【００１８】
移動体端末機３は、情報提供者によって所持され、情報提供者とともに移動する。そして、ＧＰＳ衛星４や基地局５からの信号を受信して、自らの位置を測定し、その位置情報を取得する。また、移動体端末機３を所持する情報提供者に係る属性情報を取得する。移動体端末機３は、携帯電話や携帯情報端末（ＰＤＡ：Personal Digital Assistant）などによって実現される。その詳細は、後記する。
【００１９】
位置情報管理センタ６は、位置・属性情報サーバ６１、位置・属性情報データベース６２（第２の記憶手段）、収集条件生成サーバ６３および収集条件入力部６４を含んで構成される。位置・属性情報サーバ６１は、情報提供者の移動体端末機３から送信される位置・属性情報を無線網１経由で受信し、収集するとともに、収集条件生成サーバ６３から情報を収集する条件を示す収集条件電文を受信し、その受信した収集条件電文を各移動体端末機３に対して送信する。位置・属性情報データベース６２は、位置・属性情報サーバ６１が収集した位置・属性情報を蓄積する。なお、位置・属性情報サーバ６１および位置・属性情報データベース６２を併せて、位置・属性情報管理プラットフォームという。
【００２０】
収集条件生成サーバ６３は、収集条件入力部６４から受信した収集条件から収集条件電文を生成し、その生成した収集条件電文を位置・属性情報サーバ６１に送信するとともに、位置・属性情報データベース６２から位置・属性情報サーバ６１経由で位置・属性情報を受信し、その受信した情報を情報収集委託者７に転送する。収集条件入力部６４は、位置情報管理センタ６のユーザの操作により情報の収集条件を入力し、その入力した収集条件を収集条件生成サーバ６３に送信する。
【００２１】
ここで、位置・属性情報サーバ６１および収集条件生成サーバ６３は、サーバ用コンピュータによって実現される。位置・属性情報データベース６２は、例えば、位置・属性情報サーバ６１にインストールされたＤＢＭＳ（DataBase Management System、データベース管理システム）によってハードディスク装置などの不揮発性記憶装置において構築される。その不揮発性記憶装置は、位置・属性情報サーバ６１に内蔵または外部接続されているものとする。収集条件入力部６４は、ユーザが操作入力可能な端末であり、例えば、ディスプレイやキーボード、マウスなどを備えるＰＣ（Personal Computer）によって実現される。なお、位置・属性情報サーバ６１および収集条件生成サーバ６３の間、ならびに、収集条件生成サーバ６３および収集条件入力部６４の間は、ＬＡＮを介して相互に接続される。
【００２２】
情報収集委託者７は、位置・属性情報表示端末７１（端末）を有している。位置・属性情報表示端末７１は、位置情報管理センタ６の収集条件生成サーバ６３から公衆回線網または専用線２を介して位置・属性情報を受信し、表示する。位置・属性情報表示端末７１は、所定の情報が表示可能な端末であり、例えば、ＰＣ（Personal Computer）などによって実現される。
【００２３】
位置情報管理センタ６の位置・属性情報データベース６２には、移動体端末機３から送信された位置情報（緯度・経度情報など）および属性情報が時系列に蓄積、管理される。
【００２４】
なお、属性情報のうち、基本的に変化の遅い、または、変化のない属性情報（年齢層・性別・居住地域・職種・家族構成・趣味・年収などの個人情報）については、位置・属性情報データベース６２に一度登録されればよく、変更が発生したときに随時更新されるものとする。一方、変化の速い属性情報（購買情報・体温／心拍数／血圧などの身体情報など）については、移動体端末機３から位置・属性情報サーバ６１で受信され、位置・属性情報データベース６２に時系列に蓄積される。
【００２５】
図２は、移動体端末機の機能ブロック構成を示す図である。移動体端末機３は、情報送受信部３１、ＧＰＳ測位・基地局測位部３２（測位手段）、属性情報センシング部３３（センサ）、時刻管理部３４および情報格納部３５（第１の記憶手段）を含んで構成される。情報送受信部３１は、位置情報管理センタ６から受信した収集条件電文を情報格納部３５に格納したり、情報格納部３５に格納された位置・属性情報を位置情報管理センタ６に送信したりする。また、情報送受信部３１は、情報提供者への連絡、確認のために、所定の情報を移動体端末機３の液晶画面（図示せず）に表示する。ＧＰＳ測位・基地局測位部３２は、時刻管理部３４からの指示をトリガにして、ＧＰＳ衛星４や基地局５から位置情報（測位情報）を取得し、その取得した位置情報を情報格納部３５に格納する。
【００２６】
属性情報センシング部３３は、時刻管理部３４からの指示をトリガにして、購買情報や身体情報などの属性情報を取得し、その取得した属性情報を情報格納部３５に格納する。時刻管理部３４は、情報格納部３５に格納された収集条件に従って、情報収集を行うべき時刻になったときに、ＧＰＳ測位・基地局測位部３２および属性情報センシング部３３に情報の取得を指示する。また、時刻管理部３４は、情報提供者への連絡、確認のために、所定の情報を移動体端末機３の液晶画面（図示せず）に表示する。情報格納部３５は、収集条件および位置・属性情報を格納するとともに、他の各部３１ないし３４とそれらの情報をやりとりする。
【００２７】
なお、情報送受信部３１は、無線ネットワーク接続機器、ＣＰＵ（Central Processing Unit）などによって実現される。ＧＰＳ測位・基地局測位部３２は、測位信号受信装置、ＣＰＵなどによって実現される。属性情報センシング部３３は、各種センサ、ＣＰＵなどによって実現される。時刻管理部３４は、時計、ＣＰＵなどによって実現される。情報格納部３５は、フラッシュメモリなどの不揮発性記憶媒体によって実現される。ここで、ＣＰＵは、所定のメモリに格納されたプログラムを実行することによって、各部の機能を実現する。これによれば、移動体端末機３のハードウェアは、無線ネットワーク接続機器、測位信号受信装置、各種センサ、時計、ＣＰＵ、不揮発性記憶媒体および液晶画面を含んで構成される。
【００２８】
≪システムの処理≫
次に、本発明の実施の形態に係る情報収集システムの処理について説明する（適宜図１参照）。
【００２９】
（処理の概要）
最初に、図３を参照して、情報収集システム１０における情報の流れの概要について説明する。まず、位置情報管理センタ６では、収集条件入力部６４において位置・属性情報の収集条件が入力され（ステップＳ３０１）、その入力された収集条件を示す収集条件電文が移動体端末機３に送信される（ステップＳ３０２）。そして、移動体端末機３では、収集条件電文が受信された（ステップＳ３０３）後、その収集条件に基づいて位置・属性情報が取得され（ステップＳ３０４）、位置情報管理センタ６に送信される（ステップＳ３０５）。位置情報管理センタ６では、移動体端末機３からの位置・属性情報が収集され（ステップＳ３０６）、その収集された情報が情報収集委託者７に提供される（ステップＳ３０７）。情報収集委託者７では、位置・属性情報が位置・属性情報表示端末７１に受信され（ステップＳ３０８）、そのディスプレイに表示される（ステップＳ３０９）。以下、各処理について詳細に説明する。
【００３０】
（収集条件の入力と送信）
位置情報管理センタ６では、情報収集委託者７から所定の条件に該当する対象者（移動体端末機３の所有者）の位置・属性情報の収集依頼を受けて、収集条件入力部６４において、その収集依頼に従って複数の移動体端末機３に対する収集条件が入力される。本実施の形態では、位置情報管理センタ６内での収集条件の送受信については、ＬＡＮを介して行うものとするが、必ずしもＬＡＮである必要はなく、情報の送受信ができるネットワークであれば他のネットワーク（例えば、公衆回線網など）であってもよい。また、収集条件の入力および収集条件生成サーバ６３への送信が、情報収集委託者７の位置・属性情報表示端末７１で行われてもよい。
【００３１】
ここでは、ＬＡＮで接続された収集条件入力部６４、収集条件生成サーバ６３および位置・属性情報サーバ６１を経由し、無線網１を通じて移動体端末機３に収集条件が送信される処理について説明する。まず、位置・属性情報の収集依頼を受けた位置情報管理センタ６では、収集条件入力部６４が、ＧＵＩ（Graphical User Interface）画面をディスプレイに表示して、ユーザによって入力操作された、移動体端末機３に対する収集条件を入力する。
【００３２】
図４は、収集条件入力部のＧＵＩ画面の一例（収集条件入力画面）を示す図である。収集条件入力部６４の収集条件入力画面は、端末指定フィールド６４１、収集条件設定フィールド６４２、コメント・確認事項入力フィールド６４３および送信ボタン６４４を含んで構成される。
【００３３】
ユーザは、位置・属性情報を収集したい対象となる移動体端末機３を、端末指定フィールド６４１で設定する。その設定方法としては、一括指定、グループ指定および個別指定のいずれかが選択可能となっている。ここで、一括指定は、収集条件設定フィールド６４２で設定される収集対象地域の範囲内に位置する移動体端末機３に同一の収集条件を設定する場合に指定する。グループ指定は、グループ単位で同一の収集条件を設定する場合に指定する。グループ指定の際は、事前に各グループに属する移動体端末機３を収集条件生成サーバ６３に登録しておく。個別指定は、１台の移動体端末機３に対して収集条件を設定する場合に指定する。
【００３４】
端末指定フィールド６４１には、さらに指定対象欄６４５、グループまたは個別欄６４６、選択ボタン６４７および削除ボタン６４８が表示される。これらの表示は、グループ指定または個別指定を選択したときに有効になる。図４には、グループ指定の例が示されている。指定対象欄６４５は、指定対象として選択したグループ名または個人名が表示される領域である。図４では、グループＢが表示されている。グループまたは個別欄６４６は、指定対象として選択可能なグループ名または個人名が表示される。図４では、グループＡとグループＣが表示されている。
【００３５】
選択ボタン６４７は、グループまたは個別欄６４６に表示されたグループ名または個人名のうち、カーソル（図示せず）が位置付いているものを指定対象として選択するためのボタンである。削除ボタン６４８は、指定対象欄６４５に表示されたグループ名または個人名のうち、カーソル（図示せず）が位置付いているものを削除する（指定対象からはずす）ためのボタンである。なお、グループまたは個別欄６４６においてカーソル（図示せず）が位置付いているグループ名または個人名は、選択ボタン６４７のクリックによって指定対象欄６４５に移動する。また、指定対象欄６４５においてカーソル（図示せず）が位置付いているグループ名または個人名は、削除ボタン６４８のクリックによってグループまたは個別欄６４６に移動する。
【００３６】
また、ユーザは、収集条件入力画面の収集条件設定フィールド６４２において、収集日・時間帯、収集対象地域、収集間隔、端末ＩＤ提供可否および属性情報選択（属性情報の種別の選択）を設定する。なお、収集条件の設定では、各設定項目を任意に組み合わせることが可能となっている。すなわち、設定項目の選択は制限なく行うことができる。また、端末ＩＤ提供を不可（否）とした場合は、移動体端末機３からの位置・属性情報の送信に際して、移動体端末機３に固有の番号である端末ＩＤ（例えば、携帯電話番号や加入者識別番号など、移動体端末機３の識別が可能となる情報）が含まれないため、プライバシの保護が配慮されることとなる。なお、端末ＩＤ提供可否の設定は、最終的には移動体端末機３において行うものとする。これによれば、情報収集の場所、時間を限定することによって、情報収集の費用対効果を高めることができる。また、収集する属性情報の種別を選択することによって、目的に合わせて効率よく情報収集を行うことができる。
【００３７】
さらに、図４の収集条件設定フィールド６４２において、収集日・時間帯は、情報収集の開始日・時刻および終了日・時刻によって設定されているが、別の設定が行われてもよい。例えば、収集期間として開始日および終了日を設定し、日ごとの収集時間帯として開始時刻および終了時刻を設定するようにしてもよい。これによれば、１日のうちの所定の時間帯に情報を収集することができるので、目的に応じて効率的な情報収集を行うことが可能になる。
【００３８】
さらに、ユーザは、収集条件入力画面のコメント・確認事項入力フィールド６４３において、移動体端末機３に送信するコメントや情報収集に参加するか否かの確認通知などの文章を入力することが可能である。
【００３９】
以上のようにユーザの操作によって収集条件の入力が行われた後、収集条件入力画面の送信ボタン６４４が押されたことをトリガとして、収集条件入力部６４は、収集条件の入力内容を収集条件生成サーバ６３に送信する。収集条件生成サーバ６３は、収集条件入力部６４から収集条件の入力内容を受信し、その受信した内容から収集条件電文（図５参照）を生成し、その生成した収集条件電文をＬＡＮ経由で位置・属性情報サーバ６１に送信する。そして、位置・属性情報サーバ６１は、収集条件生成サーバ６３から収集条件電文を受信し、その受信した収集条件電文を無線網１経由で各移動体端末機３に対して送信する。
【００４０】
ここで、図５を参照して、収集条件電文のデータ構成について説明する。収集条件電文は、ヘッダ部４１、端末ＩＤ部４２、可変長指定部４３および収集条件データ部４４から構成される。ヘッダ部４１、端末ＩＤ部４２および可変長指定部４３は、固定長のデータである。ヘッダ部４１は、無線通信パケットのヘッダであり、収集条件電文の全体サイズ、送信元アドレス、送信先アドレスなどを含む。端末ＩＤ部４２は、移動体端末機３に固有の番号である端末ＩＤを格納する部分であり、収集条件電文においては、特にその収集条件電文を受信すべき移動体端末機３の端末ＩＤを示す。可変長指定部４３は、それぞれ固定長のデータである収集条件設定データバイト長４３１およびコメント・入力事項データバイト長４３２を含む。収集条件データ部４４は、それぞれ可変長のデータである収集条件設定データ４４１およびコメント・入力事項データ４４２を含み、それぞれのデータのサイズは、可変長指定部４３の収集条件設定データバイト長４３１およびコメント・入力事項データバイト長４３２によって特定される。
【００４１】
（収集条件の受信と位置・属性情報の送信）
次に、図２を参照して、位置・属性情報サーバ６１から収集条件電文を受信した移動体端末機３の処理について説明する。
【００４２】
まず、移動体端末機３の情報送受信部３１は、位置情報管理センタ６から収集条件電文を受信すると、収集条件電文の端末ＩＤ部４２を参照し、自端末宛の収集条件電文であるか否かをチェックする。そのチェックの結果、自端末宛でない場合は、収集条件電文を破棄し、自端末宛である場合は、収集条件電文から可変長指定部４３を読み込む。可変長指定部４３のコメント・入力事項データバイト長４３２が０でない場合は、コメント・入力事項データ４４２を読み込み、図６（ａ）に示すような情報収集サービス参加確認画面を移動体端末機３の液晶画面に表示する。その画面が表示された場合、移動体端末機３の所有者は、情報収集への参加可否を自由に選択（ＹＥＳまたはＮＯを選択）することが可能となっている。
【００４３】
一方、コメント・確認事項が受信されない（コメント・入力事項データバイト長４３２が０である）場合、移動体端末機３の所有者に連絡、確認することなく情報収集が開始されたり、または中止されたりするように、事前に移動体端末機３の設定を行うことも可能となっている。この事前の設定は、例えば、移動体端末機３を所有する情報提供者と、位置情報管理センタ６との間で交わされる契約の内容などに従って行われる。情報収集サービスへの参加が所有者の選択操作または事前の設定によって確認された場合、情報送受信部３１は、可変長指定部４３の収集条件設定データバイト長４３１を読み込み、その読み込んだバイト長分の収集条件設定データ４４１を情報格納部３５に格納する。これ以降は、移動体端末機３の所有者の操作を必要とすることなく、すなわち、移動体端末機３の所有者が長時間にわたって情報を提供していることを意識することなく、位置情報および属性情報の収集が行われることになる。
【００４４】
次に、時刻管理部３４は、情報格納部３５の記憶内容（収集日・時間帯の開始日時および終了日時ならびに収集間隔）を定期的に監視（ポーリング）している。ここで、現在の日時が収集日・時間帯に該当した場合、収集間隔（例えば、１０秒間隔など）ごとに、収集条件に応じた情報取得をＧＰＳ測位・基地局測位部３２および属性情報センシング部３３に指示する。これによって、情報収集が開始されると同時に、時刻管理部３４は、図６（ｂ）に示すような情報提供中の待ち受け画面を移動体端末機３の液晶画面に表示する。
【００４５】
ＧＰＳ測位・基地局測位部３２は、移動体端末機３の場所（屋外または屋内など）に応じて、ＧＰＳ衛星を用いた位置測位が可能である場合は、ＧＰＳ測位によって自位置（緯度・経度情報など）を測位する。また、ＧＰＳ衛星の電波が受信不可である場合は、基地局測位によって自位置を測位する。その基地局測位の技術には、無線ＬＡＮ位置情報システムである日立ＡｉｒＬｏｃａｔｉｏｎ（登録商標）がある。このようにして得られた移動体端末機３の位置情報は、位置情報を取得した時刻とともに情報格納部３５に格納される。ここでは、測位手段としてＧＰＳ測位または基地局測位を例としたが、位置情報が取得できれば他の手段であってもよい。また、収集条件として収集対象地域が設定されている場合、自位置が対象とする収集地域の範囲内であるか否かの判定を行い、対象収集地域外と判定された場合は、取得した位置情報を情報格納部３５に格納せずに、破棄することも可能となっている。このとき、ＧＰＳ測位・基地局測位部３２は、同時に取得される属性情報を格納する必要のない旨を、属性情報センシング部３３に送信するようにしてもよい。なお、ＧＰＳ測位・基地局測位部３２が、時刻管理部３４から逐次指示を受けることなく、情報格納部３５に格納された収集条件の収集間隔に従って位置情報を取得するようにしてもよい。
【００４６】
属性情報センシング部３３は、収集条件として購買情報が設定された場合、購買情報の取得を行う。ここで、購買情報の取得方法としては、例えば、移動体端末機３に電子マネーやクレジットカードによる決済機能が搭載されていて、その決済機能を利用することが考えられる。また、属性情報の中に身体情報の取得が含まれている場合、身体情報の取得を行う。ここで、身体情報の取得方法としては、例えば、心拍数センサによる心拍数の取得などが考えられる。このようにして得られた移動体端末機３の所有者の属性情報は、属性情報を取得した時刻とともに情報格納部３５に格納される。なお、属性情報センシング部３３が、時刻管理部３４から逐次指示を受けることなく、情報格納部３５に格納された収集条件の収集間隔に従って属性情報を取得するようにしてもよい。
【００４７】
以上のようにして、情報格納部３５に格納された位置・属性情報は、情報送受信部３１によって位置情報管理センタ６に送信される。なお、位置・属性情報の送信については、定期的に分割して送信するか、または一括して送信するかが選択可能となっている。また、情報送信の際にプライバシの保護を配慮して、移動体端末機３に固有の番号である端末ＩＤを送信するか否かが選択可能となっている。
【００４８】
（位置・属性情報の収集と提供）
次に、各移動体端末機３から送信される位置・属性情報に対して、位置情報管理センタ６で行われる処理について説明する。まず、位置・属性情報サーバ６１が、移動体端末機３から無線網１を介して送信された位置・属性情報を受信し、その受信した情報を位置・属性情報データベース６２に蓄積する。これによれば、移動体端末機３の位置情報（動線情報）と、その移動体端末機３を所持する情報提供者の属性情報（特に、購買情報）とを結び付けて収集することによって、市場調査に有効な情報（エリアマーケティング情報）を得ることができる。
【００４９】
図７は、位置・属性情報データベースのデータフォーマットの一例を示す図である。図７に示すように、移動体端末機３から端末ＩＤが送信されるか否かに応じて位置情報・属性情報が格納されるテーブルが分かれるようになっている。すなわち、図７（ａ）は端末ＩＤがない場合のテーブルデータフォーマットの一例であり、図７（ｂ）は端末ＩＤがある場合のテーブルデータフォーマットの一例である。両者ともに、位置情報には緯度および経度が設定され、属性情報には年齢層、性別、職種、居住地域などが設定される。また、両者ともに、移動体端末機３から送信される情報に時刻情報が付加されているため、時系列に情報が管理されている。すなわち、情報の収集間隔であるＴ1〜Ｔ2、Ｔ2〜Ｔ3、Ｔ3〜Ｔ4、・・・ごとに位置・属性情報がまとめられて、位置・属性情報データベース６２に格納される。なお、端末ＩＤが提供される場合には、移動体端末機３に対するトラッキング（追跡）が可能となるため、端末ＩＤが提供されない場合に比べて、情報収集委託者７にとっての情報の価値が高くなると考えられる。
【００５０】
情報の収集期間が終了した後、収集した各種情報（位置・属性情報）を情報収集委託者７に対して提供する場合、収集条件生成サーバ６３は、位置・属性情報の払い出しリクエスト（要求）を位置・属性情報表示端末７１から有線網２経由で受信し、その受信したリクエストをＬＡＮ経由で位置・属性情報サーバ６１に発行する。位置・属性情報サーバ６１は、そのリクエストを受け取り、位置・属性情報データベース６２からリクエストの対象となる情報を検索し、読み込みを行い、その読み込んだ情報をＬＡＮ経由で収集条件生成サーバ６３に送信する。ここで、リクエストの対象となる（要求された）情報とは、例えば、情報収集委託者７と位置情報管理センタ６との間で交わされた契約の内容などによって特定できる収集条件に該当する情報である。
【００５１】
収集条件生成サーバ６３は、位置・属性情報サーバ６１から受け取った情報を公衆回線網または専用線２を介して、情報収集委託者７の位置・属性情報表示端末７１に転送する。
【００５２】
この場合、位置情報管理センタ６は、情報収集委託者７に情報を提供するサービスの対価として、情報収集委託者７から利用料を受け取ることが考えられる。そして、位置情報管理センタ６は、移動体端末機３を所有する情報提供者に、情報提供への参加、協力の対価を供与することが考えられる。このとき、位置情報管理センタ６は、受信した位置・属性情報によって特定できる（情報提供に参加した）移動体端末機３について、対価となるポイントやクーポンなどを算出し、位置・属性情報データベース６２に格納する。ただし、情報提供に参加したか否かの判定には、情報提供者からの端末ＩＤ提供の可否が関係する。すなわち、端末ＩＤの提供を可とする収集条件が設定された場合は、収集した情報内に端末ＩＤが含まれているため、端末ＩＤを用いた対価管理が可能となる。一方、端末ＩＤの提供を不可（否）とする収集条件が設定された場合は、個別の対価管理ができないので、一律に対価を供与するように設定することが考えられる。
【００５３】
（位置・属性情報の受信と表示）
情報収集委託者７の位置・属性情報表示端末７１は、収集条件生成サーバ６３から位置・属性情報（プローブ情報）を受信し、その受信した情報を表示する。
【００５４】
図８は、位置・属性情報表示端末の表示画面の一例を示す図である。受け取った位置・属性情報の表示方法については、情報収集委託者７である各事業会社によって様々な要望があると考えられる。図８に示すプローブ情報表示画面は、その一例であり、大きく分けて３つの表示部分、すなわち、対象地域および調査日・時間帯フィールド７１１、グラフ表示フィールド７１２ならびに元データ情報表示フィールド７１３から構成されている。対象地域および調査日・時間帯フィールド７１１には、受け取った情報がサンプリングされた対象地域と調査日・時間帯が表示される。グラフ表示フィールド７１２には、属性情報が項目ごとに円グラフや棒グラフなどで表示される。この項目には、年齢層、性別、職種などがあり、図４の収集条件入力画面の収集条件設定フィールド６４２における属性情報選択でチェックした属性情報に対応して表示される。また、元データ情報表示フィールド７１３には、収集条件生成サーバ６３から受け取った情報が生データのまま一覧表示されるようになっている。
【００５５】
以上に説明した本発明の実施の形態によれば、ＧＰＳ測位や基地局測位などの測位手段によって取得された移動体端末機３の位置情報およびその移動体端末機３とともに移動した所有者（情報提供者）の属性情報（年齢層・性別・職種・家族構成・購買情報など）を収集するサービスにおいて、情報収集委託者７にとって収集したい端末の指定および収集したい属性情報の種類を指定して取得・管理することが可能となっている。
【００５６】
これにより、情報収集委託者７としては、所望の情報を絞り込んで収集するために、情報提供者を絞り込むことや収集したい場所や時間を指定することが可能となり、更には情報提供者から端末ＩＤ提供の同意が得られれば、情報提供者ごとの動線解析を実施することもできる。
【００５７】
また、本発明の実施の形態において購買情報を収集項目として設定することにより、従来マーケティングリサーチ会社に依頼することによって得られていた消費者動向に位置情報（動線情報）が関連付けされた情報が提供されるので、小売業などを想定した情報収集委託者７にとって、商圏分析や出店計画の検討をする際に所望される情報の提供が可能となる。
【００５８】
なお、以上に説明した本発明の実施の形態に係る情報収集方法および情報収集システムを実現する処理プログラム（情報収集プログラム）は、フレキシブルディスク、光ディスク、ハードディスクなどの記録媒体に記録させておくことができる。また、ネットワークを介して処理プログラムを得るようにしてもよい。
【００５９】
≪その他の実施の形態≫
以上本発明について好適な実施の形態について一例を示したが、本発明は前記実施の形態に限定されず、本発明の趣旨を逸脱しない範囲で適宜変更が可能である。例えば、以下のような実施の形態が考えられる。
（１）前記実施の形態においては、図１に示すように、位置情報管理センタ６が、位置・属性情報サーバ６１、位置・属性情報データベース６２、収集条件生成サーバ６３および収集条件入力部６４を含んで構成されるように記載したが、位置・属性情報サーバ６１、収集条件生成サーバ６３および収集条件入力部６４の機能を統合した１つの情報管理サーバによって、位置情報管理センタ６を運用するようにしてもよい。この場合、ＬＡＮ接続されていたものが、プログラムモジュール間のインタフェース接続によって実現されるので、情報の送受信が速くなる。
（２）前記実施の形態においては、図１および図２に示すように、移動体端末機３が位置情報管理センタ６から収集条件電文を受信し、格納するように記載したが、移動体端末機３に予め収集条件が設定されていてもよい。例えば、移動体端末機３を販売する場合、予め位置情報や属性情報の収集条件を入力し、その入力した収集条件を情報格納部３５に格納しておいてから、その格納された収集条件による情報提供に協力してくれるユーザに対して安価に移動体端末機３を提供するサービスが考えられる。
【図面の簡単な説明】
【００６０】
【図１】本発明の実施の形態に係る情報収集システムの基本構成を示す図である。
【図２】本発明の実施の形態に係る移動体端末機の機能ブロック構成を示す図である。
【図３】本発明の実施の形態に係る情報収集システムにおける情報の流れの概要を示すシーケンスチャートである。
【図４】本発明の実施の形態に係る収集条件入力部のＧＵＩ画面の一例を示す図である。
【図５】本発明の実施の形態に係る収集条件電文のデータ構成を示す図である。
【図６】本発明の実施の形態に係る移動体端末機の液晶画面の例を示す図であり、（ａ）は、情報収集サービス参加確認画面例であり、（ｂ）は、情報提供中の待ち受け画面例である。
【図７】本発明の実施の形態に係る位置・属性情報データベースのデータフォーマットの一例を示す図であり、（ａ）は、端末ＩＤがない場合のテーブルデータフォーマットの一例であり、（ｂ）は、端末ＩＤがある場合のテーブルデータフォーマットの一例である。
【図８】本発明の実施の形態に係る位置・属性情報表示端末の表示画面の一例を示す図である。
【符号の説明】
【００６１】
１      無線網（無線ネットワーク）
２      公衆回線網または専用線
３      移動体端末機（移動端末）
４      ＧＰＳ衛星
５      基地局
６      位置情報管理センタ（情報管理サーバ）
７      情報収集委託者
１０    情報収集システム
３２    ＧＰＳ測位・基地局測位部（測位手段）
３３    属性情報センシング部（センサ）
３５    情報格納部（第１の記憶手段）
６２    位置・属性情報データベース（第２の記憶手段、所定の記憶手段）
７１    位置・属性情報表示端末（端末）
【図１】
2006260331.tif 000003
【図２】
2006260331.tif 000004
【図３】
2006260331.tif 000005
【図４】
2006260331.tif 000006
【図５】
2006260331.tif 000007
【図６】
2006260331.tif 000008
【図７】
2006260331.tif 000009
【図８】
2006260331.tif 000010